(57)【要約】【課題】特定の生産地の商品が売れ残りとなることがないように商品販売をしたいという要望が存在する。【解決手段】本実施形態の商品販売データ処理装置は、所定の情報を入力する入力部と、商品に関する商品コードと商品の生産地を示す生産地情報とを対応付けて格納する商品ファイル、生産地情報と商品購入により付与される特典情報とを対応付けて格納する特典ファイル及び顧客を識別する識別情報と特典情報とを対応付けて格納する顧客ファイルを有する記憶部から入力部で入力された商品コードと一致する前記商品ファイルの商品コードに対応付いた生産地情報を取得する第1取得部と、前記記憶部の前記特典ファイルから前記第1取得部で取得した生産地情報に対応付いた特典情報を取得する第２取得部と、この第２取得部で取得した特典情報を入力部で入力された顧客の識別情報と対応付けて前記顧客ファイルに記憶する記憶手段と、を備える。【選択図】図７
2013073544.tif 000002
【特許請求の範囲】
【請求項１】
所定の情報を入力する入力部と、
商品に関する商品コードと前記商品の生産地を示す生産地情報とを対応付けて格納する商品ファイル、前記生産地情報と商品購入により付与される特典情報とを対応付けて格納する特典ファイル及び顧客を識別する識別情報と前記特典情報とを対応付けて格納する顧客ファイルを有する記憶部から前記入力部で入力された商品コードと一致する前記商品ファイルの商品コードに対応付いた前記生産地情報を取得する第1の取得部と、
前記記憶部の前記特典ファイルから前記第1の取得部で取得した生産地情報に対応付いた特典情報を取得する第２の取得部と、
この第２の取得部で取得した特典情報を前記入力部で入力された顧客の識別情報と対応付けて前記顧客ファイルに記憶する記憶手段と、
を備えることを特徴とする商品販売データ処理装置。
【請求項２】
前記記憶部の顧客ファイルは、前記顧客の識別情報と前記生産地情報とをさらに対応付けて格納するものであって、
前記第1の取得部が取得した生産地情報が、前記入力部で入力された顧客の識別情報と対応づいた生産地情報と一致する場合、前記第２の取得部が取得した特典情報に加えてさらに割増した割増特典情報を前記入力部で入力された顧客の識別情報と対応づけて前記顧客ファイルに記憶することを特徴とする請求項1記載の商品販売データ処理装置。
【請求項３】
前記記憶部が有する顧客ファイルに格納される生産地情報は、前記顧客の識別情報と対応付いて複数格納されていることを特徴とする請求項２記載の商品販売データ処理装置。
【請求項４】
前記記憶部が有する顧客ファイルは、前記入力部又はネットワーク通信を介して外部機器から、前記生産地情報を追加又は削除可能に構成されていることを特徴とする請求項３記載の商品販売データ処理装置。
【請求項５】
前記入力部は、商品コードを入力する第1の入力部と前記会員登録された顧客の識別情報を入力する第２の入力部とからなることを特徴とする請求項1乃至４のいずれか一つに記載の商品販売データ処理装置。
【請求項６】
所定の情報を入力する入力部とを備えた商品販売データ処理装置のコンピュータにインストールされ、当該コンピュータに、
商品に関する商品コードと前記商品の生産地を示す生産地情報とを対応付けて格納する商品ファイル、前記生産地情報と商品購入により付与される特典情報とを対応付けて格納する特典ファイル及び顧客の識別情報と前記特典情報とを対応付けて格納する顧客ファイルを有する記憶部前記入力部で入力された商品コードと一致する前記商品ファイルの商品コードに対応付いた前記生産地情報を取得する機能と、
前記記憶部の前記特典ファイルから前記第1の取得部で取得した生産地情報に対応付いた特典情報を取得する機能と、
この第２の取得部で取得した特典情報を前記入力部で入力された顧客の識別情報と対応付けて前記顧客ファイルに記憶する機能と、
を実現させることを特徴とするプログラム。
【発明の詳細な説明】
【技術分野】
【０００１】
本発明の実施形態は、購入商品に応じて特典を付与可能な商品販売データ処理装置に関する。
【背景技術】
【０００２】
現在、購入商品に応じて特典を付与可能な商品販売データ処理装置が知られている。
【０００３】
この種の商品販売データ処理装置は、顧客へのサービスとして会員登録した顧客に対する特典として、購入した商品金額に応じて特典（ポイントや値引き）を付与する処理を実行する。これにより、顧客の購入意欲の増進を図っている。
【先行技術文献】
【特許文献】
【０００４】
【特許文献１】特開２００６−２４４３９７公報
【発明の概要】
【発明が解決しようとする課題】
【０００５】
ところで、顧客の中には特定の生産地を好んで商品購入を行なう者もいる。例えば、青果品や魚などの生鮮食品については、名産として一般的によく知られた地域から購入する等といった場合である。しかしながら、店舗側としては、販売する商品については在庫を有することなく販売したいという意向があるため、特定の生産地の商品が売れ残りとなることがないように商品販売をしたいという要望が存在する。
【課題を解決するための手段】
【０００６】
本実施形態の商品販売データ処理装置は、所定の情報を入力する入力部と、商品に関する商品コードと前記商品の生産地を示す生産地情報とを対応付けて格納する商品ファイル、前記生産地情報と商品購入により付与される特典情報とを対応付けて格納する特典ファイル及び顧客を識別する識別情報と前記特典情報とを対応付けて格納する顧客ファイルを有する記憶部から前記入力部で入力された商品コードと一致する前記商品ファイルの商品コードに対応付いた前記生産地情報を取得する第1の取得部と、前記記憶部の前記特典ファイルから前記第1の取得部で取得した生産地情報に対応付いた特典情報を取得する第２の取得部と、この第２の取得部で取得した特典情報を前記入力部で入力された顧客の識別情報と対応付けて前記顧客ファイルに記憶する記憶手段と、を備える。
【０００７】
また、本実施形態の商品販売データにインストールされるプログラムは、所定の情報を入力する入力部とを備えた商品販売データ処理装置のコンピュータにインストールされ、当該コンピュータに、商品に関する商品コードと前記商品の生産地を示す生産地情報とを対応付けて格納する商品ファイル、前記生産地情報と商品購入により付与される特典情報とを対応付けて格納する特典ファイル及び顧客の識別情報と前記特典情報とを対応付けて格納する顧客ファイルを有する記憶部前記入力部で入力された商品コードと一致する前記商品ファイルの商品コードに対応付いた前記生産地情報を取得する機能と、前記記憶部の前記特典ファイルから前記第1の取得部で取得した生産地情報に対応付いた特典情報を取得する機能と、この第２の取得部で取得した特典情報を前記入力部で入力された顧客の識別情報と対応付けて前記顧客ファイルに記憶する機能と、を実現させることを特徴とするコンピュータプログラム。
【図面の簡単な説明】
【０００８】
【図１】本実施形態の商品販売データ処理装置の斜視図。
【図２】本実施形態の商品販売データ処理装置の外観を示す外観斜視図
【図３】本実施形態の商品販売データ処理装置の電気的接続を示すブロック図。
【図４】本実施形態の商品データベースが記憶するデータを示す図。
【図５】本実施形態のポイントデータベースが格納するデータを示す図。
【図６】本実施形態の顧客データベースが格納するデータを示す図。
【図７】本実施形態の商品販売登録処理が実行するポイント付与処理の流れを示すフローチャート。
【発明を実施するための形態】
【０００９】
以下、添付図面を参照して、本発明の実施形態に係る商品販売データ処理装置を詳細に説明する。
【００１０】
図１はＰＯＳシステムの全体構成を示すブロック図であるＰＯＳシステム１０は、複数台のＰＯＳ端末であるＰＯＳ端末１００と、このＰＯＳ端末１００にデータ送受信可能にネットワーク接続されたホストであるストアサーバ２００とを備える。
【００１１】
ストアサーバ２００はデータベース３００に接続される。データベース３００は、販売対象となる商品の商品価格等の商品情報を格納した商品データベース３１０、商品の生産地情報と特典であるポイントが関連付けられたポイントデータベース３２０、会員登録をした顧客のＩＤ等を格納した顧客データベース３３０を有する。
【００１２】
ＰＯＳ端末１００は、ストアサーバ２００を介して商品データベース３１０、ポイントデータベース３２０、顧客データベース３３０にアクセスできる。ＰＯＳ端末１００は、各データベース３１０，３２０，３３０からデータを取得可能である。
【００１３】
図２は、商品販売データ処理装置の外観を示す外観斜視図である。
【００１４】
ＰＯＳ端末１００は、ドロワ１１０の上に載置されている。ＰＯＳ端末１００は、ドロワ１１０の引出し１１１の開放動作を制御できる。また、ＰＯＳレジスタ１００にはキーボー１２０と、オペレータ用表示器１３０と、レシートプリンタ１４０と、客用表示器１５０とを有する。また、ＰＯＳ端末１００は、カード読取溝１７１を有するカードリーダライタ１７０を備える。
【００１５】
また、ＰＯＳ端末１００は、バーコードスキャナ１６０が接続されている。バーコードスキャナ１６０は、商品に付されているバーコードを読み取り、バーコードに含まれている商品コードを取得する。
【００１６】
図３はＰＯＳ端末１００の電気的構成を示すブロック図である。ＰＯＳ端末１００は、各種演算処理を実行し各部を制御するＣＰＵ１０１を備える。ＣＰＵ１０１には、固定データを固定的に記憶保存するＲＯＭ１０２と、可変データを書き換え自在に記憶してワークエリアとして使用されるＲＡＭ１０３と、ＨＤＤ１０４とがバスライン１０５を介して接続されている。ＨＤＤ１０４は、予め各種のコンピュータプログラムがインストールされている。これらコンピュータプログラムは、ＰＯＳ端末１００の起動時、その全部又は一部がＲＡＭ１０３にコピーされる。ＣＰＵ１０１は、ＲＡＭ１０３にコピーされたコンピュータプログラムに従った処理を実行する。
【００１７】
ＣＰＵ１０１には、ドロワ１１０、キーボード１２０、オペレータ用表示器１３０、レシートプリンタ１４０、客用表示器１５０、カードリーダライタ１７０、バーコードスキャナ１６０と、がバスライン１０５を介してＣＰＵ１０１に接続される。ＣＰＵ１０１は、これらの周辺機器の動作を制御する。
【００１８】
ＰＯＳ端末１００は、ＰＯＳ端末１００が設置される店舗に設けられる通信ネットワークに接続するための通信インターフェース１０６を備える。この通信インターフェース１０６は、バスライン１０５を介してＣＰＵ１０１に接続される。なお、ＨＤＤ１０４にインストールされている各種のコンピュータプログラムは、通信インターフェース１０６を介して上位機からダウンロードされたものであってもよい。
【００１９】
ＰＯＳ端末１００のＣＰＵ１０１は、ＲＡＭ１０３にコピーされたコンピュータプログラムに従った処理を実行する。このような処理として、ＣＰＵ１０１は、商品の生産地に応じて特典であるポイントを付与するポイント付与処理を含む商品販売データ処理をＰＯＳ端末１００に実行させる。
【００２０】
図４は商品データベースが記憶するデータを示す図である。商品データベース３１０は、図４に示すように、商品コードデータ領域３１０ａ、商品名データ領域３１０ｂ、価格データ領域３１０ｃ、産地コードデータ領域３１０ｄに各種商品情報データを格納している。この例では、商品コードデータ領域３１０ａには商品別に付された商品コードデータ、価格データ領域３１０ｃには商品の販売価格データ、産地コードデータ領域３１０ｄには商品の産地がデータとして格納されている。ＰＯＳ端末１００は、バーコードスキャナ１６０で商品のバーコードを読み取ることで商品コードを取得し、ストアサーバ２００を介して商品データベース３１０にアクセスし、商品の商品データ、単価データ、生産地コード等を取得又は削除することができる。
【００２１】
図５はポイントデータベース３２０が格納するデータを示す図である。ポイントデータベース３２０は、商品コードデータ領域３２０ａ、商品名データ領域３２０ｂ、単価データ領域３２０ｃ、生産地データ領域３２０ｄ、生産地コードデータ領域３２０ｅ、生産地ポイントデータ領域３２０ｅを備え、各種データを格納する。この例では、商品コードデータ領域３２０ａには前記商品番号データが、商品名データ領域３２０ｂには前記商品名データが、単価データ３２０領域ｃには前記商品価格データが、生産地コードデータ領域３２０ｄには商品コードに対応する生産地コードが紐付けられている。また、ポイントデータ領域３２０ｅは、商品コード及び生産地コードに紐付けられる形でポイントデータがそれぞれ格納されている。
【００２２】
ＰＯＳ端末１００は、バーコードスキャナ１６０で商品のバーコードを読み取ることにより商品コードを取得し、ストアサーバ２００を介してポイントデータベース３２０にアクセスする。商品コードと生産地コードとを比較し、商品コードと生産地コードに対応して記憶されているポイントを取得することができる。図５では、商品コード「１２３４５」で商品名「みかん」に対しては、産地コード「Ａ０００１」、生産地ポイントとして「１０」ポイント、割増ポイントとして「３倍」が予め設定されている。会員である顧客は、この商品「みかん」を購入した場合、通常では生産地ポイントとして１０ポイントを付与し、さらに顧客が生産地「愛媛」をお気に入り登録していた場合は割増ポイントとして１０ポイントの３倍の３０ポイントが付与される。
【００２３】
図６は顧客データベース３３０が格納するデータを示す図である。顧客データベース３３０には、顧客ＩＤ領域３３０ａ、会員氏名領域３３０ｂ、お気に入り生産地コード領域３３０ｃ、累積ポイント領域３３０ｄ等を備え、各種顧客データを記憶する。顧客ＩＤ領域３３０ａには顧客の登録ＩＤ番号データが、会員氏名領域３３０ｂには氏名データが、生産地コード領域３３０ｃには顧客がお気に入りとして登録する生産地データが、累積ポイント領域３３０ｄには顧客の現在のポイントデータが格納されている。
【００２４】
ＰＯＳ端末１００は、顧客が提示した会員カードをカードリーダライタ１７０で読み取ることで、顧客のＩＤ情報、お気に入り生産地情報（産地コード）、累積ポイントを取得することができる。お気に入り生産地情報とは顧客が自ら設定登録することが出来る情報であり、当該設定登録した生産地の商品を購入することで購入時に付与されるポイントが割増されるといったサービスを受けられることが可能となる。なお、当該生産地情報（産地コード）は、複数設けることが可能である。図６では、会員ＩＤ「０００１」の客には生産地コードとして「Ａ０００１」、「Ａ００１０」、「Ｂ０００４」が予め設定されている。なお、顧客データベース３３０に格納される生産地情報については、ＰＯＳ端末１００等の外部機器から追加又は削除可能に構成されている。
【００２５】
図７は商品販売データ処理装置の処理の流れを示すフローチャートである。以降、図７のフローチャートに沿ってポイント付与の処理の流れを示す。
【００２６】
顧客が購買する商品を提示すると、ＰＯＳ端末１００のオペレータは、バーコードスキャナ１６０で商品に付された商品バーコードをスキャンする。商品のバーコードがスキャンされることで商品コードが入力される（Ａｃｔ７０１）。これによりＣＰＵ１０１は商品コードを取得し、ＰＯＳレジスタ１００は、ストアサーバ２００を介して商品データベース３１０から商品コードに基づいて商品名データ、価格データ、生産地コードの商品情報を取得して（Ａｃｔ７０２）、商品名及び価格を客用表示器１５０に表示する（Ａｃｔ７０３）。
【００２７】
ＣＰＵ１０１は、ＰＯＳ端末１００の小計キーが押下されたことを検知するまでＡｃｔ７０１からＡｃｔ７０３の処理を繰り返す。小計キーが押下されたことを検知すると（Ａｃｔ７０４のＹｅｓ）、ＰＯＳ端末１００は、カードリーダライタ１７０を介して会員ＩＤを取得する。そして、顧客データベース３３０にこの会員ＩＤが存在するか否かを判断する（Ａｃｔ７０５）。
【００２８】
顧客データベース３３０に会員ＩＤが有る場合は（Ａｃｔ７０５のＹｅｓ）、ＣＰＵ１０１は、先のＡｃｔ７０１からＡｃｔ７０３の処理にてスキャンして商品登録を実施した各商品は生産地情報が付与されているか否かを一商品毎に判断する（Ａｃｔ７０６）。そして、現在処理している商品について生産地情報が付与されていると判断した場合（Ａｃｔ７０６のＹｅｓ）、生産地ポイントがあるか否かを判断する（Ａｃｔ７０７）。生産地ポイントがあると判断した場合（Ａｃｔ７０７のＹｅｓ）、現在処理している商品が顧客ごとに予め設定登録されたお気に入りの生産地に該当しているか否かを判断する（Ａｃｔ７０８）。そして、お気に入りの生産地に該当している場合は（Ａｃｔ７０８のＹｅｓ）、お気に入り生産地ポイントとして、通常のポイントよりも多くのポイントを付与する（Ａｃｔ７０９）。一方、お気に入りの生産地に該当していない場合は（Ａｃｔ７０８のＮｏ）、通常のポイントを付与することとなる（Ａｃｔ７１２）。
【００２９】
Ａｃｔ７０９又はＡｃｔ７１２の処理を実行した後、ＣＰＵ１０１は、現計キーが押下されたこと（言い換えると、締め処理宣言がされたこと）を検知すると（Ａｃｔ７１０）レシート発行処理を実行して取引を終了する（Ａｃｔ７１１）。
【００３０】
Ａｃｔ７０６以降の処理を具体的に説明する。Ａｃｔ７０６では、ＣＰＵ１０１がスキャンした商品の商品コードに産地コードが付与されているか判断し、産地コードが付与されている場合は、この産地コードでポイントデータベースの商品コードに産地コードが関連付けられているか否かを判断する。
【００３１】
一例として、先のＡｃｔ７０１からＡｃｔ７０３の処理にて、商品名「みかん」をスキャンしている場合は、この「みかん」の商品コード３２０ａ「１２３４５」に産地コード３２０ｅ「Ａ０００１」が付与されていることを判断し、ポイントデータベース３２０において、この産地コード「Ａ０００１」には、生産地ポイント「１０」が関連付けられていることを取得する。
【００３２】
そして、Ａｃｔ７０７では、この産地コード３２０ｅ「Ａ０００１」が会員ＩＤのお気に入り生産地として予め会員データベース３３０に登録されているか否かを判断する。例えば会員ＩＤ「０００１」には産地コードとして「Ａ０００１」が登録されているので（図６参照）、顧客は通常の産地ポイント１０ポイントではなく、割増された割増ポイント２０ポイントを付与されることとなる。ここで、割増ポイントとはポイントデータベース３２０に登録されている割増ポイントであり商品名「みかん」については通常ポイントとして１０ポイント、割増ポイントとして３倍の３０ポイントが付与されるよう予めポイントデータベース３２０内に設定登録されている。
【００３３】
以上、本実施の形態によれば、商品が生産された生産地に応じてポイントが付与されることとなるため、顧客は商品の生産地を意識して購入することが期待される。したがって、顧客に対して商品の生産地を意識させて購入させることが出来るので、特定の生産地の商品について販売促進を容易に行なうことが可能となる。
【００３４】
また、生産地に応じて付与されるポイントを変更できるように、顧客は、予めお気に入り生産地を登録することが出来るので、さらに商品販売にあわせた形で特定の生産地の商品について販売促進を容易に行なうことが可能となる。
【００３５】
また、顧客は複数の生産地をお気に入り生産地として予め登録することができるので、特定の生産地に限定されることなく販売促進を行なうことが可能となる。
【００３６】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態は、発明の範囲や要旨に含まれるとともに、特許請求の範囲に記載された発明とその均等の範囲に含まれる。
【符号の説明】
【００３７】
１００  ＰＯＳ端末
１０１  ＣＰＵ
１０２  ＲＯＭ
１０３  ＲＡＭ
１２０  キーボード
１４０  レシートプリンタ
１６０  バーコードスキャナ
１７０カードリーダライタ
３１０  商品データベース
３２０  ポイントデータベース
３３０  顧客データベース
【図１】
2013073544.tif 000003
【図２】
2013073544.tif 000004
【図３】
2013073544.tif 000005
【図４】
2013073544.tif 000006
【図５】
2013073544.tif 000007
【図６】
2013073544.tif 000008
【図７】
2013073544.tif 000009